(57)【特許請求の範囲】
【請求項１】
ゴルファーの掌が第１目標方向に向けられるように、ゴルファーのいずれかの手がグリップされる第２グリップと、
前記第２グリップの上下に形成され、異物感なしに指の間に嵌合される小さい直径の第２シャフトと、
前記第２シャフトから上下に延長される第１シャフトと、
前記第１シャフトの一側端に形成されるヘッドと、
前記第１シャフトの上側端部に形成される第１グリップと、を含んで構成される、見続けながらパッティングする側面スイングパターであって、
前記第２シャフトが、前記第１シャフト２０の直径よりも小さい直径の円柱形状を有することを特徴とする、見続けながらパッティングする側面スイングパター。
【請求項２】
ゴルファーがゴルフボールをボールの後側から眺めながら前記ヘッドを介してゴルフボールをゴルファーの側面から前後方向にスイングして打撃し、観察するために、ゴルファーの主に使用する掌が第１目標方向と同じ方向に、第２グリップを掴むように握り、他の手では左右振れなく、前後スイングが行われるように前記第１グリップが握るように構成されることを特徴とする、請求項１に記載の見続けながらパッティングする側面スイングパター。
【請求項３】
前記第２シャフトは、ゴルファーが球状をなす前記第２グリップをグリップする際、人差し指と長指または長指と薬指の間に挿入されるように、φ５ｍｍ〜φ７ｍｍ範囲内の直径を有するように構成されることを特徴とする、請求項１に記載の見続けながらパッティングする側面スイングパター。
【請求項４】
前記ヘッドのパッティング面には、所定角度の逆キャンバが形成されることを特徴とする、請求項１に記載の見続けながらパッティングする側面スイングパター。
【請求項５】
前記逆キャンバの所定角度は、打撃されるゴルフボールの直進方向性が向上されるように、トップスピンを誘導する垂直ラインを基準に１゜〜３゜範囲内の逆境斜角度であることを特徴とする、請求項４に記載の見続けながらパッティングする側面スイングパター。
【請求項６】
純粋振子運動として、ヘッドの上方向ベクトル量を向上させるために前記ヘッドにおいて前記第１シャフトの固定点は、前記ヘッドのパッティング面の後方に形成し、前記逆キャンバには、パッティング時にパッティング面でゴルフボールのスリップを低減し、ゴルフボールに対する回転方向の表面摩擦力を増大させてトップスピンを誘導する水平ラインのグルーブを多段に形成することを特徴とする、請求項４に記載の見続けながらパッティングする側面スイングパター。
【請求項７】
前記ヘッドのパッティング面の下端部の角は、ゴルフボールの打撃によるパッティングミスが防止できるように、ラウンド処理され、ラウンド処理した角には、前記グルーブが延長されるエッジグルーブが形成されることを特徴とする、請求項６に記載の見続けながらパッティングする側面スイングパター。
【請求項８】
前記ヘッドの重心は、スイートスポットを外れた打球の結果誤差を低減し、スイング時にヘッドが捻れる因子を低減しようと打球面の後面の両端端部に２重分散して形成することを特徴とする、請求項１に記載の見続けながらパッティングする側面スイングパター。
【請求項９】
前記ヘッドの後方の両側には、慢性的な個人差による左右方向の誤差因子を補正して直進方向性を改善するための補正ウェイトが構成されることを特徴とする、請求項１に記載の見続けながらパッティングする側面スイングパター。
【請求項１０】
前記補正ウェイトは、
ヘッドの後方の両側に形成されるウェイト結合部と、
互いに異なる重さを有し、前記ウェイト結合部に選択的に結合される数種の補正ウェイト部材を含んで構成されることを特徴とする、請求項９に記載の見続けながらパッティングする側面スイングパター。
【請求項１１】
前記ヘッドの上面中央部には、ゴルフボールを側面から前後方向にスイングする際、そのスイング直進方向の正確さをゴルファーに視覚的に認知させることができる第１インジケータラインを設け、
前記第１シャフトの下端側には、前記第１インジケータラインと延長されて視覚的によく見えるようにする第２インジケータラインが形成されることを特徴とする、請求項１に記載の見続けながらパッティングする側面スイングパター。
【請求項１２】
前記ヘッドの底面には、前記ヘッドでパッティング時にミスしてグリーン面と当たった際にグリーンの芝面との摩擦を低減させながら直進運動を補助させることができるパッティング方向として、いくつかの低いブレードが形成されることを特徴とする、請求項１に記載の見続けながらパッティングする側面スイングパター。
【請求項１３】
前記第２グリップは、
前記第２シャフトの外周面の一端に形成される第１位置突起と、
前記第２シャフトの外周面の他端に形成される複数の第２位置突起と、
前記第１位置突起が嵌合される第１溝と複数のナット挿入締結ホールが形成される第１半円グリップと、
前記第２位置突起が嵌合される複数の第２溝と複数の第２締結ホールが形成され、前記第１半円グリップと対向する第２半円グリップと、
前記第２シャフトの外周面に、前記第１及び２半円グリップが密着して球状をなす際、前記第１及び２半円グリップを互いに結合固定させる固定ボルトと、を含んで構成されることを特徴とする、請求項１に記載の見続けながらパッティングする側面スイングパター。
【発明の詳細な説明】
【技術分野】
【０００１】
本発明は、ゴルフをする際の多様なゴルフクラブ中のパターに関する。より詳しくは、現在までのパッティング方法は、ゴルファーがパッティングする前にグリーンの状態と距離を観察しながら予想軌跡を設定する。そして実際にパッティング時には、観察した姿勢と異なって横目で見るように直交状態に立ち、それと共に、上体を曲げて捻れた２つの目の視覚で最終確認した後にパッティングをすることになる。これは、視覚差から生じる不安感とミスが内在された状態で自分の普段練習の感覚だけを信じ、ボールを打ってホールに入れようとしたものである。そこで、事前に観察したその姿勢のままで、目標のホールや仮想点と予想軌跡を確認し、真直ぐ立った後に、直ちにその姿勢で練習スイングを行った後、セッアップしてゴルフボールを眺め続きながらボーリングするように、側面からスイングしてパッティングがなされるようにする。そうすることで、ゴルフパッティングから生じ得る誤差とミスを最小化し、パターの打撃面の形状を一部変更してゴルフボールの転がり（rolling）直進性を増大させてパッティングの正確さを高めようとしたものである。
【背景技術】
【０００２】
一般に、スイングパター１００は、添付の図１のように、グリップ１０１、シャフト１０２、及びヘッド１０３で構成される。ゴルファーは、パッティングラインと垂直方向に立って腰を曲げた状態で両腕を下してスイングパター１００のグリップ１０１を握って、身体の前で左右にスイングしながらヘッド１０３を介してゴルフボールを打ってパッティングするものである。
【０００３】
すなわち、添付の図２のように、ゴルファーは、スイングパター１００のグリップ１０１を握った状態で脊椎中心線Ｌ１を基準としてイン−インスイング（In-In Swing）をすることになる。これは、脊椎中心線Ｌ１を軸とする円運動が自然的な自然法則によるものであるからである。このとき、身の曲げ角度θ１と腕の角度θ２及びゴルフボールを見る視線角度θ３によってゴルフボールの軌跡が互いに異なった結果として現れる。
【０００４】
添付の図２のような角度θ１、θ２、θ３を維持したままの状態で、脊椎中心線Ｌ１を基準に正常的なスイングパッティングをすると、ゴルフボール２００の進行方向は、添付の図３のように第１方向Ｔ１でなければならない。しかし、ゴルファーの身体構造的メカニズム上のイン−インスイング（In-In Swing）により、ゴルフボール２００の進行方向が添付の図３のように第２方向Ｔ２となる。さらに、スイングの過度な補正が行われた場合には、添付の図３のように、第３方向Ｔ３にゴルフボール２００のスイングパッティング（Out-Out/Neutral-Out Swing）となる問題が発生した。
【０００５】
上記のように、第２、第３方向Ｔ２、Ｔ３の方にゴルフボール２００が進行することを防止し、第１方向Ｔ１の方にゴルフボール２００を真直ぐ送って繰返し再現性を高めようとゴルファーは所定幅の直進綴字をストローク区間において、その上でスイングパッティングの練習を重ねたりする。しかし、添付の図４及び図５のように、足を地面と直交させた状態で腰と腕の角度θ４、θ５を９０゜に曲げた後（Ｌ１ライン）、θ４＝θ５＝９０゜の状態で、ゴルファーの視線角度θ６だけを鋭角の状態で、いずれも同じ角度と長さでパッティングする。すると、そのときの身体的及び精神的状態で変化し得る誤差を低減させようとした。さらに、添付の図６及び図７のように、腹や胸部位Ｂ１にパター１００のグリップ１０１の上端部を固定するロングパター（ベリーパター）を使用したりした。
【０００６】
添付の図８及び図９のように、ゴルファーは、事前にゴルフボール２００とホールのパッティングラインを探るために、多様な方向から観察することになる。この場合、ゴルファーは身を曲げたりしゃがみこんで座ったり甚だしくはグリーン上に伏せてまで目標地点Ａ１と予想軌跡を注意深く観察することになる。このような姿勢は、いずれも観察しようとする方向を正面から２つの目で水平に見ることになる。
【０００７】
しかし、添付の図１０及び図１１のように、ゴルファーは、実際にパッティングしようと身体のセットアップラインＬ２を設定した後に、最終的に目標地点Ａ１と予想軌跡を確認する場合、身を前に曲げた状態（図２のθ１≠θ２≠θ３≠９０゜）で頭だけを回して見ることになる。そのため、２つの目が曲がった脊椎中心線ほどの角度をなした状態で頭を９０゜に回すので、結果的には当初とは全く異なった、捻れた視覚で眺めるしかない。このようなパッティング姿勢では、瞬間的に目標地点Ａ１や予想軌跡を探すことができないため、ゴルファーが慌てたり、混沌することで自信感を失ってパッティングスイングが狂ってしまう。そのため、添付の図３のように、ゴルフボール２００が第２、３方向Ｔ２、Ｔ３に進行するパッティングのミスを起こす問題がある。
【０００８】
添付の図１２のように、ゴルファーは、スイングパッティングをする際に、ゴルフボール２００を転がさないで殴るように打撃することになる。そうすると、スキッド（Skid）現象によりゴルフボール２００が第１区間Ｓ１で無回転スリップ（Slip）した後に、第２区間Ｓ２に転がるようになる。この場合、第１区間においても予想しない方向に行くことになる。さらに、第１、２区間Ｓ１、Ｓ２の境界線で芝面の状態により第２区間Ｓ２でのゴルフボール２００に対する方向と距離が決定される。そこで、距離と方向性がよくなく、予側できない結果が出る問題があった。これは、根本的に殴るようなスイングによる問題であるが、従来のスイングパター１００のヘッドの打撃フェイス面の形状の問題でもある。
【０００９】
添付の図１８のように、ヘッド１０３のパッティング面１０３ａは、大部分上方向に開いた角度θ１２になっている。パッティング時にボールの打撃角度θ１１のためにボール２００がグリーンの芝面３００から空中に浮かぶ因子があった。この角度θ１１のために、パターのスイング軌跡によるボールの転がり因子ｒ１を逆転がり因子ｒ２で相殺してスキッド（Skid）現象が発生し、よくない結果となった。これを補正しようと無理やりにヘッド１０３を上方向に持ち上げてスイングした後、図３のＴ２やＴ３方向のスイングミスを起こす場合が多かった。
【００１０】
また、従来のスイングパター１００は、添付の図１３のように、正常なスイングでなければならない（ｔ１）。しかし、スイートスポット（Sweet Spot）を逸脱した打球ｔ２、ｔ３、添付の図１４のように、イン−アウトスイング（In-Out Swing）による角度θ７、添付の図１５のようなアウト−インスイング（Out-In Swing）による角度θ８、ヘッド１０３のフェイス（Face）面１０３ａを介するゴルフボール２００の打撃が、添付の図１３のように、正常な垂直状態を維持せず、添付の図１６のように、ヘッド１０３の打撃角度θ９が垂直でないクロスしたスイングや、添付の図１７のように、ヘッド１０３の打撃角度θ１０が垂直でない開いたスイングなどの誤差やミスのために、パッティング方向や距離において、よくない結果が多く発生するしかない問題点があった。
【発明の概要】
【発明が解決しようとする課題】
【００１１】
本発明は、上述のような従来のスイングパターの問題点を改善するためのものであって、ゴルファーが事前にグリーン状態と距離を観察した、そのままの姿勢で立ってゴルフボールと仮想のパッティングラインを確認しながら練習スイングをし、直ちにセットアップした後にゴルフボールを眺めながらボーリングをするように、ゴルファー側面からゴ−ルプボールをパッティングする側面スイングパターを構成するものである。これにより、パッティング姿勢から発生する視覚差によるパッティング誤差と誤った方向へのストロークを低減することができる。そして、パッティングする際のゴルフボールの直進性を増大させられるように、見続けながらパッティングする側面スイングパターを提供することにその目的がある。
【００１２】
また、本発明は、パターヘッドのパッティング面を逆キャンバに構成し、ゴルフボールパッティング時にスキッドを低減して転がり性（rolling）を増大して、直進方向性をよくする側面スイングパターを提供する。
【００１３】
また、本発明は、自然にボールが転がるようにする転がり（rolling）パッティングとなるように、パターのシャフト固定点をパッティング面の後に形成する。一方、パッティング面に水平平行のグルーブを形成することで、スイングパッティング時に回転方向への表面摩擦力を増大させてトップスピン（Top Spin）を誘導させる側面スイングパターを提供する。
【００１４】
また、本発明は、パターヘッドの下端部の角を無くし、ラウンド処理した後、前述したパッティング面のグルーブを延長させて形成する。パターの下端部の角でゴルフボールを打撃して全く予想しない方向と距離となる、ミスが防止できるようにする側面スイングパターを提供する。
【００１５】
また、本発明は、ヘッドの両端部位に重さ中心を分散させるように構成される。スイートスポットから外れた打球から生じる誤差を最小化しながら開いたりクロスされたりするスイングを予防する側面スイングパターを提供する。
【００１６】
また、本発明は、グルーブが形成されるヘッドのパッティング面と反対方向のヘッド後面の両端部位に補正ウェイト（Adjust Weight）を構成する。パッティング時に、個人差によって慢性的に発生し得る誤差を最大限補正して直進方向の再現性を改善させて一貫したパッティングができるように側面スイングパターを提供する。
【００１７】
また、本発明は、パターヘッドの上端とシャフトの下端に視覚的に連結し続ける第１、第２インジケータラインを形成する。訓練や実戦において、目でこのインジケータラインの動きを見ながら方向性のよいスイングであるかを確認できるようにして、方向の再現性よくスイングができるように側面スイングパターを提供する。
【課題を解決するための手段】
【００１８】
本発明は、見続けながらパッティングする側面スイングパターは、ゴルファーの掌が第１目標方向に向けるように、ゴルファーのいずれかの手がグリップされる第２グリップと、前記第２グリップの上下に形成され、異物感なしに指の間に嵌合される小さい直径の第２シャフトと、前記第２シャフトから上下に延長される第１シャフトと、前記第１シャフトの一側端に形成されるヘッドと、前記第１シャフトの上側端部に形成される第１グリップと、を含んで構成される。
【００１９】
また、ゴルファーがゴルフボールを、ボールの後側から眺めながら前記ヘッドを介してゴルフボールをゴルファーの側面から前後方向にスイングして打撃し、観察するためにゴルファーの主に使用する掌が第１目標方向と同じ方向に第２グリップを掴むように握って、他の手で左右振れなしに前後スイングが行われるように前記第１グリップを従来の伝統方式のグリップまたはクローグリップ（Ｃｌａｗ）などで握るように構成したものである。
【００２０】
また、前記第２シャフトは、ゴルファーが球状をなす前記第２グリップをグリップする際に、人差し指と長指または長指と薬指の間に挿入するように、φ５ｍｍ〜φ７ｍｍ範囲内の直径を有するように構成したものである。
【００２１】
また、前記ヘッドのパッティング面には、所定角度の逆キャンバを形成したものである。
【００２２】
また、前記逆キャンバの所定角度は、打撃したゴルフボールの直進方向性が向上されるようにトップスピン（Ｔｏｐ  Ｓｐｉｎ）を誘導する垂直ラインを基準として１゜〜３゜範囲内の逆境斜角度である。
【００２３】
また、純粋振子運動でヘッドの上方向ベクトル量を向上させるために、前記ヘッドにおいて前記第１シャフトの固定点は前記ヘッドのパーティンからゴルフボールのスリップ（ｓｌｉｐ）を低減させ、ゴルフボールに対する回転方向の表面摩擦力を増大させてトップスピンを誘導する水平ラインのグルーブを多段に形成したものである。
【００２４】
また、前記ヘッドのパッティング面の下端部の角は、ゴルフボールの打撃によるパッティングミスが防止できるように、ラウンド処理され、ラウンド処理した角には、前記グルーブが延長されるエッジグルーブを形成したものである。
【００２５】
また、前記ヘッドの重心は、スイートスポット（Ｓｗｅｅｔ  Ｓｐｏｔ）を外れた打球の結果の誤差を低減し、スイング時にヘッドが捻れる因子を低減させようと打球面の後面の両端端部に二重分散して形成したものである。
【００２６】
また、前記ヘッドの後方の両側には、慢性的な個人差による左右方向の誤差因子を補正して直進方向性を改善するための補正ウェイト（Adjust Weight）を構成したものである。
【００２７】
前記補正ウェイトは、ヘッドの後方の両側に形成されるウェイト結合部と、互いに異なる重さを有し、前記ウェイト結合部に選択的に結合される数種の補正ウェイト部材を含んで構成したものである。
【００２８】
また、前記ヘッドの上面中央部には、ゴルフボールを側面から前後方向にスイングする際、そのスイング正確さをゴルファーに視覚的に認知させることができる第１インジケータラインを設け、前記第１シャフトの下端側には、前記第１インジケータラインと延長されて視覚的によく見えるようにする第２インジケータラインを形成したものである。
【００２９】
また、前記ヘッドの底面には、前記ヘッドがパッティング時に間違ってグリーン面に当たった際にグリーンの芝面との摩擦を低減させながら直進運動を補助させるパッティング方向にいくつかの低いブレード（Blade）を形成したものである。
【００３０】
また、前記第２グリップは、前記第２シャフトの外周面の一端に形成される第１位置突起（stopper）と、前記第２シャフトの外周面の他端に形成される複数の第２位置突起（stopper）と、前記第１位置突起が嵌合される第１溝（Hole）と複数のナット挿入締結ホールが形成される第１半円グリップと、前記第２位置突起が嵌合される複数の第２溝（Hole）と複数の第２締結ホールが形成され、前記第１半円グリップと対向する第２半円グリップと、前記第２シャフトの外周面に、前記第１、２半円グリップが密着して球状をなす際に、前記第１、２半円グリップを互いに結合固定させる固定ボルト（Bolt/Screw）と、を含んで構成したものである。
【発明の効果】
【００３１】
このように、本発明の側面スイングパターは、パッティングラインを観察し続けながら前を見て立ったままにゴ−ルプボールをパッティングすることができるようにしたものである。これにより、ゴルフボールの回転を誘導するための従来のパッティングスイングから生じる不自然な上方向に持ち上げる振子運動で誤差とミスの少ない純粋振子運動となるようにする。事前観察したパッティングラインと実際パッティングする際の視覚差により生じる慌てや誤差またはミスを低減させ、確信を持ちながらよいパッティングができるように役立たせる。訓練や実戦で視覚的に方向性のよいスイングであるかを確認しながら方向再現性よくスイングできるようにする。打撃したゴルフボールのスキッドは低減させ、転がりは増大させる。一方、ゴ−ルプボールを打撃する際、その打撃が正確に垂直（例えば、９０゜）に行われるように誘導する。ゴルファーの習慣的かつ慢性的なスイング誤差を直す際に役立たせるようにする。特に、下端エッジ（Ｅｄｇｅ）打ちによるミスショットの可能性を排除しながら打撃瞬間のゴルフボールとヘッド打撃面との瞬間接触時間を延長可能にさせ、小さなスイングミスでもトップスピンを誘導しながら直進方向性を増大させる。また、ミスによる芝との摩擦で抵抗を低減させながら正方向にスイングを誘導し、打撃されたゴルフボールの直進方向性をよくする効果を期待することができる。
【図面の簡単な説明】
【００３２】
【図１】従来の一般的なパターの構造を示す四時図。
【図２】従来の一般的なパターのパッティング姿勢を示す側面概咯図。
【図３】従来の一般的なパターのパッティング姿勢を示す平面概咯図。
【図４】従来の一般的なパター骨盤直角スイング姿勢を示す側面概咯図。
【図５】従来の一般的なパターを用いた骨盤直角スイング姿勢を示す平面概咯図。
【図６】従来ロングパター（ベリーパター）を用いたスイング姿勢を示す側面概咯図。
【図７】従来ロングパター（ベリーパター）を用いたスイング姿勢を示す平面概咯図。
【図８】一般的な事前パッティングライン観察状態を示す側面概咯図。
【図９】一般的な事前パッティングライン観察を示す平面概咯図。
【図１０】従来の一般的なパターを用いたセットアップ後のパッティング直前の最終判断状態を示す側面概咯図。
【図１１】従来の一般的なパターを用いたセットアップ後のパッティング直前の最終判断状態を示す平面概咯図。
【図１２】従来パターを用いたパッティングでスキッド発生時のゴルフボールの予想挙動流れも。
【図１３】従来パターの正常スイング時のゴルフボールの挙動状態図。
【図１４】従来パターのイン−アウトスイング時のゴルフボールの挙動状態図。
【図１５】従来パターのアウト−インスイング時のゴルフボールの挙動状態図。
【図１６】従来パターのヘッド閉鎖スイング時のゴルフボールの挙動状態図。
【図１７】従来パターのヘッドオープンスイング時のゴルフボールの挙動状態図。
【図１８】従来の一般的なキャンバを適用したスイングパターのパッティング時のゴルフボールの挙動状態図。
【図１９】本発明の実施形態に係る側面スイングパターの構造を示す側面図。
【図２０】本発明の実施形態に係る側面スイングパターの構造を示す正面図。
【図２１】本発明の実施形態に係る側面スイングパターのシャフトに第２グリップを結合させる状態を示す分解図。
【図２２】本発明の実施形態に係る側面スイングパターに適用されるヘッドを拡大した正面概咯図。
【図２３】本発明の実施形態に係る側面スイングパターに適用されるヘッドを拡大した側面概咯図。
【図２４】本発明の実施形態に係る側面スイングパターに適用されるヘッドを拡大した平面概咯図。
【図２５】本発明の実施形態に係る側面スイングパターに適用されるヘッドを拡大した底面概咯図。
【図２６】本発明の実施形態に係る側面スイングパターのスイング姿勢を示す側面概咯図。
【図２７】本発明の実施形態に係る側面スイングパターのスイング姿勢を示す後面概咯図。
【図２８】本発明の実施形態に係る側面スイングパターのスイング姿勢を示す平面概咯図。
【図２９】本発明の実施形態に係る逆キャンバを適用した側面スイングパターのパッティング時のゴルフボールの挙動状態図。
【発明を実施するための形態】
【００３３】
以下、添付図面を参照しながら本発明の実施形態を説明する。
【００３４】
図１９は、本発明の実施形態に係る側面スイングパターの構造を示す側面図であり、図２０は、本発明の実施形態に係る側面スイングパターの構造を示す正面図であり、図２１は、本発明の実施形態に係る側面スイングパターのシャフトに第２グリップを結合させる状態を示す分解図を図示したものである。
【００３５】
図２２は、本発明の実施形態に係る側面スイングパターに適用されるヘッド部を拡大した正面概咯図である。図２３は、本発明の実施形態に係る側面スイングパターに適用されるヘッド部を拡大した側面概咯図である。図２４は、本発明の実施形態に係る側面スイングパターに適用されるヘッドを拡大した平面概咯図である。図２５は、本発明の実施形態に係る側面スイングパターに適用されるヘッドを拡大した底面概咯図を図示したものである。
【００３６】
添付の図１９から図２５に示すように、本発明の実施形態に係るゴルフボールを見続けながらパッティングする側面スイングパターＳＳＰは、第１グリップ１０と第１シャフト２０及びヘッド３０に加えて、第２シャフト４０と第２グリップ５０をさらに含んで構成したものである。
【００３７】
前記第２グリップ５０は、前記第２シャフト４０の中間部分に位置する。これは、ゴルファーの掌が第１目標方向に向けるように、ゴルファーのいずれかの手がグリップされるように構成したものである。
【００３８】
前記第１目標方向は、ゴルフボールの進行方向を説明する。
【００３９】
前記第１シャフト２０は、従来のスイングパターと同一ないし類似の直径を有する。これは前記第２シャフト４０の前後と前記ヘッド３０、前記第１グリップ１０との間に位置する。
【００４０】
前記第１シャフト２０の下端側には、添付の図２０及び図２２のように、側面から前後方向にスイングする際に、そのスイング正確さをゴルファーに視覚的にガイドする第２インジケータライン２１を形成した。
【００４１】
前記ヘッド３０は、前記第１シャフト２０の一側端に形成される。前記ヘッド３０のパッティング面には、添付の図２３のように、所定角度θ１４の逆キャンバ３１を形成してある。このような逆キャンバ３１の所定角度θ１４は、パッティング時にゴルフボール２００の直進方向性が向上されるように、トップスピン（Ｔｏｐ  Ｓｐｉｎ）を誘導する垂直ラインを基準に１゜〜３゜範囲内の傾斜角度である。
【００４２】
すなわち、前記逆キャンバ３１は、微細な数値であるが、前記ヘッド３０のパッティング面の上側が厚く、パッティング面の下側を薄く形成したものである。
【００４３】
前記ヘッド３０から所定角度θ１３を維持する前記第１シャフト２０の固定点Ｐ１は、添付の図２３ないし図２５のように、前記ヘッド３０のパッティング面の後方に形成される。前記逆キャンバ３１には、添付の図２２及び図２３のように、ゴルフボール２００を側面から前後方向にスイングパッティング時にゴルフボール２００に対する回転方向の表面摩擦力を増大させてトップスピンを誘導するように、水平ラインのグルーブ（Groove）３２を多段に形成したものである。
【００４４】
前記ヘッド３０のパッティング面の下端部の角は、添付の図２３のように、角打ちによるパッティングミスが防止できるように、ラウンド処理される。ラウンド処理したパッティング面の角には、前記グルーブ３２が延長されるエッジグルーブ３２ａを形成したものである。
【００４５】
前記グルーブ３２が多段に形成された前記ヘッド３０のパッティング面と反対の後方側には、添付の図２４のように、両端端部にヘッド３０の重さ中心を２重分散させてスイートスポット（Sweet Spot）を外れた打球の誤差を低減する。そして、ヘッドを垂直９０゜にスイングするのに役立たせるようにした。
【００４６】
また、慢性的かつ習慣的な誤方向スイングを微細補正するために、ヘッド３０の後方両端端部に補正ウェイト（Adjust Weight）３４を構成したものである。
【００４７】
前記補正ウェイト３４は、前記ヘッド３０の後方側に形成されるウェイト結合部３４ａと、互いに異なる重さ（例えば、１２ｇ、２４ｇ、プラスチックダミーなどのスクリュー）を有し、前記ウェイト結合部３４ａに選択的に結合される補正ウェイト部材３４、３４ｂを含むものである。
【００４８】
前記ヘッド３０の上面には、添付の図２４のように、練習スイング及び実際パッティングスイング時に方向の正確さをゴルファーに視覚的にガイドする第１インジケータライン３５が形成されるようにした。前記ヘッド３０の底面には、添付の図２５のように、スイングのミスにより前記ヘッド３０がグリーンの芝と接触した際に芝面との摩擦を低減させながら前後方向に方向性が向上されるのに役に立つように低い高さの平行な複数段のブレード（Blade）３６を形成した。
【００４９】
前記第２シャフト４０は、前記第１グリップ１０の前後の第１シャフト２０との間に前記第１シャフト２０の直径よりも小さい直径で形成したものである。その直径は、ゴルファーが、球状をなす前記第２グリップ５０をグリップする際、人差し指と長指または長指と薬指の間に挿入されるように、φ５ｍｍ〜φ７ｍｍ範囲内に構成したものである。
【００５０】
前記第２グリップ５０は、上述のような球状からなる。これは、ゴルファーがゴルフボール２００を眺めながら真直ぐ立って前記ヘッド３０を介して前記ゴルフボール２００を側面から前後方向にスイングしてパッティングし、観察するためにゴルファーの手が第１方向と同じ方向に向けてグリップされるように構成したものである。
【００５１】
前記第２グリップ５０は、前記第２シャフト４０の外周面の一端に形成される第１位置突起５１と、前記第２シャフト４０の外周面の他端に形成される複数の第２位置突起５２と、前記第１位置突起５１が嵌合される第１ホール５３ａと複数の第１ナット挿入締結ホール５３ｂが形成される第１半円グリップ５３と、前記第２位置突起５２が嵌合される複数の第２ホール５４ａと複数の第２締結ホール５４ｂが形成され、前記第１半円グリップ５３と対向する第２半円グリップ５４と、前記第２シャフト４０の外周面に前記第１、２半円グリップ５３、５４が密着して球状をなす際に前記第１、２半円グリップ５３、５４を前記第２シャフト４０に結合させて２つのグリップを固定させる固定ボルト５５を含んで構成したものである。
【００５２】
すなわち、前記第２シャフト４０の外周面に形成される第１位置突起５１に、第１半円グリップ５３の第１ホール５３ａが挿入されるようにする。前記第２シャフト４０の外周面に形成される複数の第２位置突起５２には、第２半円グリップ５４の第２ホール５４ａに挿入させる。そして、前記第１、２半円グリップ５３、５４を、前記第２シャフト４０を基準として互いに対向するようにする。
【００５３】
その後、ナットが挿入されている前記第１半円グリップ５３の第１締結ホール５３ｂに第２半円グリップ５４の第２締結ホール５４ｂを介して複数の固定ボルト５５を締結する。これにより、前記第２シャフト４０に球状の第２グリップ５０が結合させるようにしたものである。
【００５４】
本発明の実施形態による見続けながらパッティングする側面スイングパターＳＳＰは、添付の図２６ないし図２８のように、事前に観察したパッティングライン（ボールの予想軌跡）通りに、観察したその姿勢のままにセッアップしてパッティングした後に、ゴルフボール２００のパッティング瞬間、ゴルフボール２００の挙動、ゴルフボール２００の軌跡をゴルファーが観察し続けるようにしたものである。
【００５５】
すなわち、添付の図２６ないし図２８のように、ゴルファーは、側面スイングパターＳＳＰの第１グリップ１０とその下端に位置する球状をなす第２グリップ５０をグリップした後、グリーンのパッティングラインを眺めた状態でゴルフボール２００の側面から前記ゴルフボール２００を、側面スイングパターＳＳＰを前後方向にスイングさせてパッティングするものである。そうすることで、前記ゴルフボール２００のパッティング瞬間は勿論、パッティングによるゴルフボール２００の挙動、そしてゴルフボール２００の軌跡をゴルファーが観察し続けることができる。特に、第１、２グリップ１０、５０が適用される本発明の側面スイングパターＳＳＰは、１ｍ以内の近い距離や伝統スイング方式を好むゴルファーのために、第１目標方向に対する垂直方向に立って、伝統グリップ方式、クロスハンド（Ｃｒｏｓｓ−Ｈａｎｄｅｄ）、クローグリップ（Ｃｌａｗ）などにストロークすることができる。これにより、左右対称に左利きや右利きのゴルファーが共用で使用可能な技術的特徴を有する。
【００５６】
ゴルファーが側面スイングパターＳＳＰの第１、２グリップ１０、５０をグリップ時に、前記第２グリップ５０のパッティング（Ｐａｒｔｉｎｇ）ラインはグリップ球模型の中央線後方にして第２シャフト４０よりも前部位が多く突出されて指把持に力が入られるようにする。そして、前記第２グリップ５０の中心線は、ゴルファーのパッティング姿勢において肩関節−第２グリップ５０の中心線−スイートスポットヘッド３０のパッティング面となるようにする。そうすると、前記第２グリップ５０は第１シャフト２０の中心と調和をなしながら前記ヘッド３０を介してゴルフボール２００をパッティング時にゴルフボール２００にトップスピンを誘導することができる。
【００５７】
添付の図２３のように、前記ヘッド３０のパッティング面に所定角度θ１４に形成される逆キャンバ３１は、ゴルファーがゴルフボール２００の側面から前後方向に側面スイングパターＳＳＰをスイングすることになる。それで、前記ゴルフボール２００をパッティングする際、添付の図２９の矢印方向ｒ１、ｒ２のように、パッティングが行われたゴルフボール２００の直進方向性の向上のための角度θ１５として、トップスピン（Ｔｏｐ  Ｓｐｉｎ）を誘導することができる。同時に、添付の図２３のように、前記逆キャンバ３１に形成されるグルーブ（Groove）３２を介してゴルフボール２００に対する回転方向の表面摩擦力を増大させながらトップスピンを誘導することができる。
【００５８】
添付の図２２及び図２３のように、前記ヘッド３０下端部の角をラウンド曲線処理した後、そのラウンド処理した角部位に前記グルーブ３２の延長であるエッジグルーブ３２ａを形成しておく。そうすることにより、本発明の実施形態に係る側面スイングパターＳＳＰは、アイアン（Iron）ショットのトッピングのような角（Edge）打ちによるパッティングミスを低減することができる。
【００５９】
ここで、前記ヘッド３０の下端部の角をラウンド処理する際、そのラウンド処理は、ゴルファーの肩関節から角までの長さ（側面から前後方向にスイング時の半径）に相当するラウンドを適用することが好ましい。さらに標準体型のゴルファーに応じて複数段階の等級で分けられる。
【００６０】
本発明の実施形態に係る側面スイングパターＳＳＰは、ヘッド３０の自体重さ中心を、添付の図２４及び図２５のように、両側後方にウェイト分散部３３を設けた。さらに個人差による慢性的なスイング誤差を低減しようと左右異なる種類の重さ補正のための補正ウェイト３４を追加構成したものである。前記ヘッド３０の後方側に形成されるウェイト結合部３４ａに互いに異なる重さを有する補正ウェイト部材３４ｂを結合構成される。そして、前記ヘッド３０をスイング進行方向と垂直９０゜にスイングするのに役立たせることができるようにした。これをより、ゴルファーの肩が開く、または、クロスするスイングのパッティングミスを低減することができる。スイートスポット（Sweet Spot）を外れたパッティング結果による誤差を最小化することができる。慢性的かつ習慣的なパッティングのスイングミスを微細補正することができる。
【００６１】
ここで、互いに異なる重さを有する補正ウェイト部材３４ｂの重さの一例として、１２ｇ、２４ｇなど何種の金属材であるスクリューを用いて、実際に何回かのスイングを行い決定した後に、その重さが決定された金属材のスクリューを、前記ヘッド３０の後面側の左側または右側方向に形成されるウェイト結合部３４ａに選択的に結合させて重さを補正するようにする。重さ補正が必要ない場合には、内部の空いた軽いプラスチックスクリューであるダミースクリューからなる補正ウェイト部材３４ｂで前記ウェイト結合部３４ａを後処理する。
【００６２】
添付の図２０及び図２２のように、本発明の実施形態に係る側面スイングパターＳＳＰに含まれる第１シャフト２０は勿論、ヘッド３０の上面にそれぞれ第２インジケータライン２１と第１インジケータライン３５を形成しておく。これは普段訓練する際やグリーン上でパッティング直前の練習スイング時、ゴルファーは側面スイングパターＳＳＰの前後方向スイングが正方向に正確に行われているかを、視覚的にパッティング状態を確認し続けることができるようにするためである。
【００６３】
前記ヘッド３０の底面に形成されるブレード３６により、ゴルファーが側面スイングパターＳＳＰを介してゴルフボール２００を側面から前後方向スイングにパッティングする際に発生し得る、グリーンの芝と接触の際、前記ヘッド３０の底面と芝面との抵抗を低減させながら前後直進方向性を向上させることができる。
【００６４】
以上、本発明の見続けながらパッティングする側面スイングパターＳＳＰに対する技術思想を添付図面と共に記述したが、これは本発明の好適な実施形態を例示的に説明したものであって、本発明を限定するものではない。
【００６５】
したがって、本発明は上述した特定の好適な実施形態に限定されず、請求範囲で請求する本発明の要旨を逸脱せず、当該発明が属する技術分野で通商の知識を有する者であれば誰でも多様な変形実施が可能であることは勿論で、そのような変更は請求範囲の記載の範囲内にある。
【産業上の利用可能性】
【００６６】
本発明は、訓練や実戦において、視覚的に方向性のよいスイングであるかを確認しながら方向再現性のよいスイングができるようにする。打撃されたゴルフボールのスキッドは低減し、転がりを増大させると共に、ゴ−ルプボールを打撃する際、その打撃が正確に垂直に行われるように誘導する。ゴルファーの習慣的かつ慢性的なスイング誤差を直す場合に手助けとなる。特に、下端エッジ（Ｅｄｇｅ）打ちによるミスショットの可能性を排除させながら打撃瞬間のゴルフボールとヘッド打撃面との瞬間接触時間を延長可能にさせて小さなスイングミスでもトップスピンを誘導しながら直進方向性を増大させる。そして、ミスによる芝との摩擦で抵抗を低減させながら正方向にスイングを誘導して打撃されたゴルフボールの直進方向性を手助けるものである。
【符号の説明】
【００６７】
１０   第１グリップ
１１   打撃角度θ
１２   角度θ
１３   所定角度θ
１４   所定角度θ
１５   角度θ
２０   第１シャフト
２１   第２インジケータライン
３０   ヘッド
３１   逆キャンバ
３２   グルーブ
３２   エッジグルーブ
３３   ウェイト分散部
３４   補正ウェイト
３５   第１インジケータライン
３６   ブレード
４０   第２シャフト
５０   第２グリップ
５１   第１位置突起
５２   第２位置突起
５４   第２半円グリップ
５５   固定ボルト
９０   垂直
１００ パター
１０１ グリップ
１０２ シャフト
１０３ ヘッド、パッティング面
１０３ パッティング面
２００ ゴルフボール
３００ 芝面
【図１】
0006312856.tif 000002
【図２】
0006312856.tif 000003
【図３】
0006312856.tif 000004
【図４】
0006312856.tif 000005
【図５】
0006312856.tif 000006
【図６】
0006312856.tif 000007
【図７】
0006312856.tif 000008
【図８】
0006312856.tif 000009
【図９】
0006312856.tif 000010
【図１０】
0006312856.tif 000011
【図１１】
0006312856.tif 000012
【図１２】
0006312856.tif 000013
【図１３】
0006312856.tif 000014
【図１４】
0006312856.tif 000015
【図１５】
0006312856.tif 000016
【図１６】
0006312856.tif 000017
【図１７】
0006312856.tif 000018
【図１８】
0006312856.tif 000019
【図１９】
0006312856.tif 000020
【図２０】
0006312856.tif 000021
【図２１】
0006312856.tif 000022
【図２２】
0006312856.tif 000023
【図２３】
0006312856.tif 000024
【図２４】
0006312856.tif 000025
【図２５】
0006312856.tif 000026
【図２６】
0006312856.tif 000027
【図２７】
0006312856.tif 000028
【図２８】
0006312856.tif 000029
【図２９】
0006312856.tif 000030